(57)【要約】本発明は、受動光ネットワークを管理する方法であって、この受動光ネットワークは、中央局５００への幾つかの光ネットワークユニットに関する接続を集約化する少なくとも１つのフューモードファイバー６１０を備え、上記中央局５００には、少なくとも複数の帯域幅λ１、λ２を放出する光回線終端装置５２１〜５２４と、上記複数の帯域幅をそれぞれ異なるパワーモードに多重化するパワースプリッターとして動作する少なくとも１つのモード変換器５４０であって、上記それぞれ異なるパワーモードは、その後、上記少なくとも１つのフューモードファイバー６１０に提供される、少なくとも１つのモード変換器と、が設けられている、方法に関する。
2018528678.tif 000002
【特許請求の範囲】
【請求項１】
受動光ネットワークを管理する方法であって、前記受動光ネットワークは、中央局への幾つかの光ネットワークユニットに関する接続を集約化する少なくとも１つのフューモードファイバーを備え、前記中央局には、
少なくとも複数の帯域幅を放出する光回線終端装置と、
前記複数の帯域幅をそれぞれ異なるパワーモードに多重化するパワースプリッターとして動作する少なくとも１つのモード変換器であって、前記それぞれ異なるパワーモードは、その後、前記少なくとも１つのフューモードファイバーに提供される、少なくとも１つのモード変換器と、
が設けられている、方法。
【請求項２】
前記少なくとも１つのフューモードファイバーは、少なくとも１つの第１のフィールドモード変換器に接続され、該少なくとも１つの第１のフィールドモード変換器は、
モノモードファイバー（ＭＭＦ）を通じて少なくとも１つの光ネットワークユニットと、
フューモードファイバー（ＦＭＦ）を通じて少なくとも１つの第２のフィールドモード変換器と、
に接続される、請求項１に記載の方法。
【請求項３】
前記光回線終端装置は、所定の光波長においてそれぞれ光信号を少なくとも放出するように構成され、前記中央局には、前記複数の帯域幅を少なくとも放出する前記光波長の少なくとも１つの多重化器が更に設けられている、請求項１又は２に記載の方法。
【請求項４】
前記多重化器は、波長分割多重化（ＷＤＭ）を実行するように構成されている、請求項３に記載の方法。
【請求項５】
前記中央局には、
少なくとも前記モード変換器から受信された結合損失を解釈し、
前記結合損失に基づいて伝送パラメーターを最適化し、
前記最適化された伝送パラメーターに関する光信号を放出するために前記光回線終端装置をモニタリングする、
ようにプログラミングされているチャネルエンジニアリングブロックが更に設けられている、請求項１〜４のいずれか１項に記載の方法。
【請求項６】
前記伝送パラメーターは、少なくとも前記モード変換器から入力するパワーを含み、前記入力パワーは、
前記光回線終端装置のうちの少なくとも１つに設けられた所与のレーザー源（ＬＳｉ）と、
前記レーザー源によって放出された所与の光波長と、
所与のパワーモード（Ｍ）と、
について推定された性能指数に基づいて求められる、請求項５に記載の方法。
【請求項７】
前記チャネルエンジニアリングブロックは、
前記光回線終端装置のうちの少なくとも１つに設けられた所与のレーザー源（ＬＳｉ）と、
前記レーザー源によって放出された所与の光波長と、
所与のパワーモード（Ｍ）と、
に基づいて入力するパワーを与えるルックアップテーブルを記憶する、請求項６に記載の方法。
【請求項８】
前記光回線終端装置は、光信号を放出及び受信するように構成され、前記チャネルエンジニアリングブロックは、アップリンク方向及びダウンリンク方向の双方において前記受動光ネットワークにわたって入力されるパワーを調整するように更にプログラミングされている、請求項５〜７のいずれか１項に記載の方法。
【請求項９】
受動光ネットワークの中央局であって、前記受動光ネットワークは、該中央局への幾つかの光ネットワークユニットに関する接続を集約化する少なくとも１つのフューモードファイバーを備え、該中央局は、請求項１〜８のいずれか１項に記載の方法を実施する光回線終端装置及び少なくとも１つのモード変換器を備える、中央局。
【請求項１０】
請求項５〜８のいずれか１項に記載の方法を実施するチャネルエンジニアリングブロックを更に備える、中央局。
【請求項１１】
チャネルエンジニアリングブロックのプロセッサによって実行されると、請求項５〜８のいずれか１項に記載の方法を実施する命令を含むコンピュータープログラム。
【発明の詳細な説明】
【技術分野】
【０００１】
本発明は、光ネットワークに関する。
【背景技術】
【０００２】
現在の光アクセスネットワークは、ポイントツーポイント（Ｐ２Ｐ）モノカラーデュアルファイバーリンク（ともに同じ波長を用いるダウンストリームにおける一方のファイバー及びアップストリームにおけるもう一方のファイバー）、又は、同じファイバー内でアップストリームにおいて固有の所定の波長を用いるとともに、ダウンストリームにおいて別の固有の所定の波長を用いる受動光ネットワーク（ＰＯＮ）アーキテクチャのいずれかに基づいている。
【０００３】
ＩＴＵ−Ｔ及びＩＥＥＥにおける仕様に基づく次世代光アクセスネットワークは、幾つかのＰ２Ｐリンク又はＰＯＮツリーを固有のファイバー上のそれぞれ異なる波長にスタックする。これに関して、異なる所定の波長（標準化されたグリッドに従う）は、ＰＯＮオプション及びＰ２Ｐオプションの双方について、アップストリーム及びダウンストリームに配分される。複数の波長がスタックされたＰＯＮは、通常、ＴＷＤＭ  ＰＯＮと呼ばれる。
【０００４】
そのようなネットワークアーキテクチャは、添付した図１に一例として示されている。図１を参照すると、通常の光ネットワークは、モノモード光ファイバー２００によって波長スプリッター３００にリンクされた中央局１００を備える。したがって、モノモード光ファイバー２００は、図１の例では、２つのそれぞれの光ネットワークユニット４１０及び４２０をサービングする２つのモノモード光ファイバーに分かれる。波長スプリッター３００は、現場の任意の箇所に設置することができるが、通常、好ましくは、パワースプリッターの前に設置することができる。中央局１００は、ＴＷＤＭ伝送を実行する波長多重化器（wavelength multiplexer：波長合波器）１２０と、通常の放出側の光回線終端装置１１０（ＯＬＴ）（及び、場合によっては受信側の光回線終端装置も）とを更に備える。
【０００５】
現在の標準化されたオプションは、ＴＷＤＭ又はＰ２Ｐであるが、これらのオプションは、パワースプリッターの存在をサポートしなければならない。重要な分割損失のために、オペレーターにとって効率的な光アクセス統合（顧客の数と比較したときのハードウェアアーキテクチャコスト（例えば、ＣＡＰＥＸ）及び動作コスト（ＯＰＥＸ）の最適化）を可能にしない分割比しか達成されない。確かに、ＴＷＤＭオプションを考えると、システム当たり僅か５１２人のユーザーしか供給を受けることができない一方、Ｐ２Ｐオプションを考えると、高コストのＤＷＤＭを用いても、数百人又は１千人のユーザーにしか達することができず、これに対して、効率的な統合は、数万人の顧客（通常、２０ｋｍ範囲を有するシステムによってカバーされる住宅又は設備の数）に対処する必要がある。実際には、ＰＯＮ当たり６４人のユーザーを接続することができる。すなわち、４つのスタックされたＰＯＮを用いると、２５６人のユーザーを接続することができる。ただし、スタックされたＰＯＮの数は進展し得る（例えば、８つのスタックされたＰＯＮを用いると、５１２人）。
【０００６】
さらに、５Ｇとの関連では、トラフィックマトリックスは、日毎に変動し、或るエリア（例えば、夜の住宅街）から他のエリア（例えば、日中の企業）に均衡が図られる。スペクトル及びエネルギーは不足しているリソースであるので、リソース配分（スペクトル、タイムスロット、及びエネルギーの消費）を動的に最適化する方法を見つけることに大きな関心が寄せられている。
【０００７】
同時に、低コストとの調和を保つために、現場におけるいずれのネットワーク構成要素も小型かつ受動的であることを維持しなければならない。さらに、中央局１００（図１）における光回線終端装置１１０（ＯＬＴ）側では、例えば、オフィスのサイズ及びファンの必要性を削減するために、システムは可能な限り多く統合されなければならない。なお、上記オフィスのサイズ及びファンの必要性の削減は、ひいては、Ｃａｐｅｘコスト及びＯｐｅｘコストの削減を伴う。最後に、後方互換性を保証するとともにコストを削減するために、光ネットワークユニット（ＯＮＵ）４１０、４２０を変更するべきではない。
【発明の概要】
【発明が解決しようとする課題】
【０００８】
本発明は、この状況を改善することを目的とする。
【課題を解決するための手段】
【０００９】
本発明の手法によれば、幾つかのＰＯＮシステムに関する接続を集約化するために、トランクファイバーがフューモードファイバーに取り替えられる強化型アーキテクチャが提案される。ただし、既知の中央局は、そのような機能に適合していない。
【００１０】
したがって、本発明は、受動光ネットワークを管理する方法であって、この受動光ネットワークは、中央局への幾つかの光ネットワークユニットに関する接続を集約化する少なくとも１つのフューモードファイバーを備え、上記中央局には、
少なくとも複数の帯域幅を放出する光回線終端装置と、
上記複数の帯域幅をそれぞれ異なるパワーモードに多重化するパワースプリッターとして動作する少なくとも１つのモード変換器であって、上記それぞれ異なるパワーモードは、その後、上記少なくとも１つのフューモードファイバーに提供される、少なくとも１つのモード変換器と、
が設けられている、方法を対象とする。
【００１１】
一実施の形態において、上記少なくとも１つのフューモードファイバーは、少なくとも１つの第１のフィールドモード変換器に接続され、少なくとも１つの第１のフィールドモード変換器は、
モノモードファイバーを通じて少なくとも１つの光ネットワークユニットと、
別のフューモードファイバーを通じて少なくとも１つの第２のフィールドモード変換器と、
に接続される。
【００１２】
上記第２のフィールドモード変換器は、モノモードファイバーを通じて光ネットワークユニットと、別のフューモードファイバーを通じて第３のフィールドモード変換器とに更に接続することができ、同様にして他のものにも接続することができる。したがって、その実施の形態は、本発明の実施が有利であるネットワークアーキテクチャを規定する。
【００１３】
一実施の形態において、上記光回線終端装置は、所定の光波長においてそれぞれ光信号を少なくとも放出するように構成され、中央局には、上記複数の帯域幅を少なくとも放出する上記光波長の少なくとも１つの多重化器が更に設けられている。
【００１４】
この実施の形態において、上記多重化器は、波長分割多重化（ＷＤＭ）を実行するように構成されていることが好ましい。
【００１５】
一実施の形態において、中央局には、
少なくとも上記モード変換器から受信された結合損失を解釈し、
上記結合損失に基づいて伝送パラメーターを最適化し、
上記最適化された伝送パラメーターに関する光信号を放出するために上記光回線終端装置をモニタリングする、
ようにプログラミングされているチャネルエンジニアリングブロックを更に設けることができる。
【００１６】
その実施の形態において、伝送パラメーターは、少なくとも上記モード変換器から入力するパワーを含み、上記入力パワーは、
上記光回線終端装置のうちの少なくとも１つに設けられた所与のレーザー源と、
上記レーザー源によって放出された所与の光波長と、
所与のパワーモードと、
について推定された性能指数に基づいて求められる。
【００１７】
その実施の形態において、チャネルエンジニアリングブロックは、
上記光回線終端装置のうちの少なくとも１つに設けられた所与のレーザー源と、
上記レーザー源によって放出された所与の光波長と、
所与のパワーモードと、
に基づいて入力するパワーを与えるルックアップテーブルを記憶することが好ましい。
【００１８】
光回線終端装置は、光信号を放出及び受信するように構成され、上記チャネルエンジニアリングブロックは、アップリンク方向及びダウンリンク方向の双方において受動光ネットワークにわたって入力されるパワーを調整するように更にプログラミングされていることが好ましい。
【００１９】
本発明は、また、受動光ネットワークの中央局であって、受動光ネットワークは、この中央局への幾つかの光ネットワークユニットに関する接続を集約化する少なくとも１つのフューモードファイバーを備える、中央局を対象とする。より詳細には、中央局は、本発明による方法を実施する光回線終端装置及び少なくとも１つのモード変換器を備える。
【００２０】
一実施の形態において、中央局は、本発明による方法を実施するチャネルエンジニアリングブロックを更に備える。
【００２１】
本発明は、また、チャネルエンジニアリングブロックのプロセッサによって実行されると、上記方法を実施する命令を含むコンピュータープログラムを対象とする。
【００２２】
その結果、本発明は、フューモードファイバーの使用によって提供される集約化を十分に活用するように構成されている強化型中央局を提案する。そのために、幾つかの光回線終端装置（以下で解説する図３における参照符号５２１〜５２４）が設けられ、これらの光回線終端装置は、波長分割多重化技術に従って複数の帯域幅を放出し、モード変換器ＭＣ（図３の参照符号５４０）が、これらの帯域幅をそれぞれ異なるモードに多重化するために導入される。加えて、チャネルエンジニアリングブロック５３０が、モード変換器における結合損失の関数として伝送パラメーターを最適化する。
【００２３】
他の利点及び特徴は、例として提示された実施形態の詳細な説明を読むとともに添付図面を検討することで明らかになる。
【図面の簡単な説明】
【００２４】
【図１】従来の受動光ネットワークモデルの図である。
【図２】本発明による一例示的なネットワークシステムの図である。
【図３】本発明の一実施形態による強化型中央局の図である。
【図４】チャネルエンジニアリングブロックによって送受信されるメッセージを示すチャートである。
【図５】本発明によるチャネルエンジニアリングブロックによって実施することができるステップの一例を示す図である。
【図６】それぞれ異なるファイバーモードの性能指数の例を示す図である。
【図７】本発明によるチャネルエンジニアリングブロックの一実施形態を示す図である。
【発明を実施するための形態】
【００２５】
図２は、本発明によるアーキテクチャを提示している。中央局５００は、この図では、フューモード（few-mode：少数モード）ファイバー６１０を用いてモード変換器７１０にリンクされている。
【００２６】
フューモードファイバーは、少数の独立した空間モードにおいてパラレルデータストリームを伝送するのに十分大きなコア面積を有するタイプのファイバーである。理想的には、フューモードファイバーの容量は、モードの数とともに増加する。以下に提示するように、全ての伝送チャネルが最適化されることを確保するために、制御可能なモード依存利得を有するフューモードファイバー増幅器が必要とされる場合がある。それにもかかわらず、フューモードファイバー上でのモードの減衰は、同じ波長においてシングルモードファイバー内の信号の減衰よりも大きくない。したがって、同じスパンを考えたとき、増幅器の使用は必要とされない。ただし、スパンが増加した場合、シングルモードファイバーに関してスパンを増加させるために光増幅器を用いることができるのと同様に、増幅器を用いることができる。
【００２７】
図２の例を再び参照すると、モード変換器７１０は、次に、モノモード光ファイバーを介して、２つの光ネットワークユニット４１０及び４２０にリンクされるとともに、フューモードファイバーを介して別のモード変換器７２０にリンクされる。このモード変換器は、次に、モノモード光ファイバーを介して２つの光ネットワークユニット４３０及び４４０に更にリンクされる。中央局は、フューモードファイバー内に幾つかのモードを放出する。次に、モード変換器は、出側（outcoming）ファイバーに適合するようにするとともにそれぞれ異なる光ネットワークユニット（ＯＮＵ）をサービングするように、これらのモードを分割する。フューモードファイバーの使用に起因して、アップストリーム光量（upstream optical budget）は、その場合、３＊ｌｏｇ２（ｎ）だけ増加する。ここで、ｎは、（モード分割に基づく）スプリッターポートの数である。
【００２８】
したがって、光ネットワークによってサービングされるユーザーの数を増加させることを目標として、本発明は、幾つかの受動光ネットワーク（「ＰＯＮ」）の接続を集約化するために、トランクファイバーをフューモードファイバーに取り替えることを提案する。このフューモードファイバー集約化能力を十分に活用するために、中央局の強化型アーキテクチャが提案される。中央局は、その場合、以下の要素から構成される。
−同じ情報を全てのユーザーに送信する可能性又は異なるデータストリームを異なるユーザーに送信する可能性を持たせるために導入されたＴＷＤＭオプション及びＷＤＭオプションの双方を有する新世代標準に準拠した空間光変調器；
−受動光ネットワークのアクティブ化を最適化するための動的モード変換器；
−ネットワークの幾つかの特定の部分に対応する波長を任意のモードに関連付け、したがって、これらの波長をネットワーク内の任意の場所において利用可能にするための動的波長多重化器；及び、
−結合損失を補償し、所望の性能に達するように伝送パラメーターを最適化するチャネルエンジニアリングブロック（確かに、モード変換器は、波長及びモードとともに変化する結合損失を導入し、性能低下をもたらす）。
【００２９】
図３は、そのような強化型中央局アーキテクチャ５００の一例を提示している。光回線終端装置５２１、５２２、５２３及び５２４は、２つの波長多重化器５１１及び５１２にリンクされている。これらの２つの多重化器は、次に、モード変換器５４０の入力として取り入れられる。これらの光回線終端装置及びモード変換器は、チャネルエンジニアリングブロック５３０と情報を交換することができる。光源５２１、５２２、５２３、及び５２４によって放出される信号は、モード変換器に送信される前に多重化される。これによって、全ての波長が全てのモードに現れることが可能になる。さらに、チャネルエンジニアリングブロック５３０は、所望の性能に達するようにパワーが各波長及び各モードに配分されるように伝送のパラメーターを制御する。このステップは、フューモードファイバーにおける損失が波長及びモードの双方に依存することを補償するように要求される。
【００３０】
このアーキテクチャに基づいて、（例えば、節電目的ために、所与のモードに結合される光をオフに切り替えることによって）ＰＯＮツリーのブランチの動的アクティブ化を実施することができる。最後に、任意の波長を任意のモードにリンクすることを可能にすることによって、所与の波長を、カバーされる全てのエリアにわたって（すなわち、ネットワーク全体にわたって）用いることができる状況がもたらされる。これは、ブロードキャストアプリケーション、シグナリング（例えば、波長管理）、又はモニタリングにとって特に興味深い。
【００３１】
図４は、チャネルエンジニアリングブロックによって実行される最適化プロセスのために交換されるメッセージの図である。フィードバックメッセージ８１０（例えば、信号強度に関する情報を含む）が、光ネットワークユニットからチャネルエンジニアリングブロックに送信され、チャネルエンジニアリングブロックにおいて、最適化ステップが実行され、新たな伝送パラメーターが求められる。これらの新たな伝送パラメーターは、次に、信号８２０及び８３０を介して光回線終端装置５２１〜５２４及びモード変換器５４０に送信される。そのような実施態様の利点は、この実施態様によって、モード変換器及び波長多重化器の性能指数にかかわらずに、自己適応する最適化が可能になるということである。
【００３２】
チャネルエンジニアリングブロックは、好ましくは、全てのソースにリンクされていることが図３から理解されるであろう。波長多重化器に対してチャネルエンジニアリングブロックの制御を提供することが更に可能である。同様に、モード変換器に対してもチャネルエンジニアリングブロックの制御を提供することが可能である（その場合、矢印は、ボックス５３０と５４０との間に双方向に引くことができる（二重の矢印））。
【００３３】
チャネルエンジニアリングブロック５３０に関してより詳細な内容は、以下に与えられる。チャネルエンジニアリングブロック５３０は、以下のように、ダウンリンク方向における配分パワー（以下、「入力パワー（launched power：送信パワー）」と呼ぶ）の適応及び／又は調整を提供する。
【００３４】
図５を参照すると、あらゆる時点において、チャネルエンジニアリングブロックは、適切な入力パワー「ｐｐ」が関連付けられている、セットアップ手順に基づくレーザー源（laser source：レーザーソース）のインデックスＬＳｉと、波長λと、使用中モードＭとを含むルックアップテーブルＬＵＴを保持している。
【００３５】
チャネルエンジニアリングブロックは、ルックアップテーブル（ソース、波長、パワーモード）の入力パラメーターのうちの１つを変更するごとに、それに応じて、ソースの入力パワーを変更する。
【００３６】
このルックアップテーブルは、最初は、減衰の性能指数ｉａ（λ）（図６では、それぞれ異なるファイバーモードについて波長１５５０ｎｍ付近に示されている）に基づいて満たすことができる。したがって、所定の仕様（レーザー源のパワーの１／ｉａ（λ）倍）に示すように、モード変換器５４０と協働して、到達可能な入力パワーＬＰをステップＳ１において求めることができる。
【００３７】
次に、システムが動作しているとき、例として以下のようなプロトコルを用いてルックアップテーブルを補正することができる。周期的又はチャネルエンジニアリングブロック５３０からの明示の要求時に、１つ又は幾つかのＯＮＵは、ステップＳ２において、それらの受信パワーに関連した情報「ｉａ」（例えば、それらの受信信号強度表示を含む）を送信する。次に、チャネルエンジニアリングブロック５３０は、ステップＳ３において、以下のように上記情報の処理を進める。
・ｉａ＜低側閾値ＴＨ１である場合、ｐｐは、ルックアップテーブルに与えられているデルタ値だけインクリメントされる。
・ｉａ＞高側閾値ＴＨ２である場合、ｐｐは、ルックアップテーブル内のデルタだけデクリメントされる。
【００３８】
それ以外の場合、ステップＳ４において、現在のｐｐを維持することができる。
【００３９】
アップリンク方向における入力パワーの適応に関して、問題は、対称的であるとみなすことができる。すなわち、各ＯＮＵは、同じ情報を有するそれ自体のルックアップテーブルを保持するが、周期的に、又はＯＮＵが自身の波長を変更する要求を有する毎に、又は所与のＯＮＵ要求時に、ＯＬＴ１１０は、ダウンリンク信号に、使用中のモードを表すとともに、場合によってはダウンリンク方向における使用中の波長も含む情報を導入する。次に、ＯＮＵは、その波長の「ｉａ」を取り出すために、その同じ現在のモード及びダウンリンク方向における使用中の波長との対応を確認し、次に、それに応じて、それ自体のｐｐを調整するために、これを、アップリンク方向において用いられる波長用に変換する。
【００４０】
代替の実施形態では、ＯＬＴは、受信パワー、より詳細には所与のＯＮＵ（レーザー源を有する）からの受信パワーに関連した情報「ｉａ」を測定することができる。次に、チャネルエンジニアリングブロック５３０は、上記で説明したように、その情報の処理を進めることができる。
【００４１】
次に図７を参照すると、チャネルエンジニアリングブロック５３０は、例えば、
−モード変換器５４０、７１０、７２０．．．等のネットワークの機器からパワー損失測定値を受信するための入力インターフェースＩＮと、
−本発明によるコンピュータープログラムの命令（及び、例として図５によって示すことができる主要なアルゴリズム）を実行するプロセッサＰＲＯＣと、
−本発明によるコンピュータープログラムの命令を記憶する非一時的コンピューター媒体を含むとともに、例えば、ルックアップテーブルＬＵＴと他の任意の非一時的データとを記憶する不揮発性メモリとを更に含み、場合によってはプロセッサＰＲＯＣと協働するワーキングメモリとして用いられる揮発性メモリも含む、メモリユニットＭＥＭと、
−制御信号をＯＬＴ（５２１〜５２４）に送信する出力インターフェースＯＵＴと、
を備えることができる。
【図１】
2018528678.tif 000003
【図２】
2018528678.tif 000004
【図３】
2018528678.tif 000005
【図４】
2018528678.tif 000006
【図５】
2018528678.tif 000007
【図６】
2018528678.tif 000008
【図７】
2018528678.tif 000009
【手続補正書】
【提出日】平成30年2月15日(2018.2.15)
【手続補正１】
【補正対象書類名】特許請求の範囲
【補正対象項目名】全文
【補正方法】変更
【補正の内容】
【特許請求の範囲】
【請求項１】
受動光ネットワークを管理する方法であって、前記受動光ネットワークは、中央局への幾つかの光ネットワークユニットに関する接続を集約化する少なくとも１つのフューモードファイバーを備え、前記中央局には、
少なくとも複数の帯域幅を放出する光回線終端装置と、
前記複数の帯域幅をそれぞれ異なるパワーモードに多重化するパワースプリッターとして動作する少なくとも１つのモード変換器であって、前記それぞれ異なるパワーモードは、その後、前記少なくとも１つのフューモードファイバーに提供される、少なくとも１つのモード変換器と、
が設けられ、
前記中央局は、該方法を実行するようにプログラミングされているチャネルエンジニアリングブロックを更に備え、該方法は、
少なくとも前記モード変換器から受信された結合損失を解釈することと、
前記結合損失に基づいて伝送パラメーターを最適化することと、
前記最適化された伝送パラメーターに関する光信号を放出するように前記光回線終端装置を制御することと、
を含む、方法。
【請求項２】
前記少なくとも１つのフューモードファイバーは、少なくとも１つの第１のフィールドモード変換器に接続され、該少なくとも１つの第１のフィールドモード変換器は、
モノモードファイバー（ＭＭＦ）を通じて少なくとも１つの光ネットワークユニットと、
フューモードファイバー（ＦＭＦ）を通じて少なくとも１つの第２のフィールドモード変換器と、
に接続される、請求項１に記載の方法。
【請求項３】
前記光回線終端装置は、所定の光波長においてそれぞれ光信号を少なくとも放出するように構成され、前記中央局には、前記複数の帯域幅を少なくとも放出する前記光波長の少なくとも１つの多重化器が更に設けられている、請求項１又は２に記載の方法。
【請求項４】
前記多重化器は、波長分割多重化（ＷＤＭ）を実行するように構成されている、請求項３に記載の方法。
【請求項５】
前記最適化された伝送パラメーターは、少なくとも前記モード変換器から入力するパワーを含み、前記入力パワーは、
前記光回線終端装置のうちの少なくとも１つに設けられた所与のレーザー源（ＬＳｉ）と、
前記レーザー源によって放出された所与の光波長と、
所与のパワーモード（Ｍ）と、
について推定された性能指数に基づいて求められる、請求項１〜４のいずれか１項に記載の方法。
【請求項６】
前記チャネルエンジニアリングブロックは、
前記光回線終端装置のうちの少なくとも１つに設けられた所与のレーザー源（ＬＳｉ）と、
前記レーザー源によって放出された所与の光波長と、
所与のパワーモード（Ｍ）と、
に基づいて入力するパワーを与えるルックアップテーブルを記憶する、請求項５に記載の方法。
【請求項７】
前記光回線終端装置は、光信号を放出及び受信するように構成され、前記チャネルエンジニアリングブロックは、アップリンク方向及びダウンリンク方向の双方においてそれぞれ前記受動光ネットワークにわたって入力されるパワーを調整するように更にプログラミングされている、請求項１〜６のいずれか１項に記載の方法。
【請求項８】
受動光ネットワークの中央局であって、前記受動光ネットワークは、該中央局への幾つかの光ネットワークユニットに関する接続を集約化する少なくとも１つのフューモードファイバーを備え、該中央局は、請求項１〜７のいずれか１項に記載の方法を実施する光回線終端装置及び少なくとも１つのモード変換器、並びにチャネルエンジニアリングブロックを備える、中央局。
【請求項９】
チャネルエンジニアリングブロックのプロセッサによって実行されると、請求項１〜８のいずれか１項に記載の方法を実施する命令を含むコンピュータープログラム。
【国際調査報告】
2018528678.tif 000010
2018528678.tif 000011
2018528678.tif 000012